(57)【要約】【課題】周囲環境および設置条件の違いにより生じる検出値の差異を検知して動作判定基準レベルを自動調整し、動作のばらつきや誤差の影響を軽減した物理量検知式動作判定基準レベル自動調整装置およびその方法を提供する。【解決手段】光検知式動作判定基準レベル自動調整装置１０は、動作判定基準レベル修正手段１６を備え、動作判定基準レベル修正手段１６が予め設定される動作判定基準レベルを周囲環境および設置条件に応じた動作判定基準レベルに自動調整可能に構成することで、動作のばらつきや誤差の影響を軽減した。【選択図】　図２
2004020215.tif 000002
【特許請求の範囲】
【請求項１】
検知対象物および前記検知対象物の周囲の少なくとも一方から物理量を取得する物理量取得手段と、
前記物理量取得手段で取得された物理量信号を入力して取得した物理量信号のレベルの最小値が事前設定した信号レベルの許容範囲外にある時は、動作判定基準レベルを自動調整して新たに動作判定基準レベルを修正する動作判定基準レベル修正手段と、
前記物理量信号および前記動作判定基準レベル修正手段から出力される動作判定基準レベル信号に基づいて動作を実行するか否かを判定する動作判定処理手段と、
前記動作判定処理手段で判定された動作を実行するか否かの判定に基づいて動作を実行するか否かの信号を生成して制御対象に伝送する制御信号生成手段とを備えることを特徴とする物理量検知式動作判定基準レベル自動調整装置。
【請求項２】
前記動作判定基準レベル修正手段は、前記検知対象物および前記検知対象物の周囲の少なくとも一方から取得される物理量の一時的な変動に対して、事前設定した信号レベルの偶発的な許容範囲外の状態でも事前設定した前記動作判定基準レベルの自動調整を実行しない保護期間が設定されていることを特徴とする請求項１記載の物理量検知式動作判定基準レベル自動調整装置。
【請求項３】
前記動作判定基準レベル修正手段は、前記物理量取得手段で取得された物理量信号における信号レベルの許容範囲および前記保護期間等の事前に設定した事前設定を必要に応じて更新可能に構成したことを特徴とする請求項１または２記載の物理量検知式動作判定基準レベル自動調整装置。
【請求項４】
前記物理量取得手段は、光源からの照度を検出する光センサであり、前記物理量取得手段が設置される制御対象物は、前記物理量取得手段で取得した照度に基づいて動作することを特徴とする請求項１または２記載の物理量検知式動作判定基準レベル自動調整装置。
【請求項５】
検知対象物および前記検知対象物の周囲の少なくとも一方から物理量を取得する物理量信号取得ステップと、
動作判定基準レベルを自動的に修正して、更新する動作判定基準レベル更新ステップと、
前記物理量信号手段で取得した物理量信号および前記動作判定基準レベル修正手段から出力される動作判定基準レベルに基づいて動作を実行するか否かを判定する動作判定ステップと
前記動作判定ステップの動作判定結果に基づいて動作を実行するか否かの信号を生成して制御対象に伝送する制御信号生成ステップとを備えることを特徴とする動作判定基準レベル自動調整方法。
【請求項６】
前記動作判定基準レベル更新ステップは、前記物理量信号取得ステップで取得した物理量信号のレベルのうち最小値を検出して前記物理量信号のレベルの最小値が事前設定した信号レベルの許容範囲外であり、前記事前設定した信号レベルの許容範囲外のまま、事前設定した動作判定基準レベルの自動調整を実行しない期間である保護期間を越えた時に動作判定基準レベルを自動調整して前記物理量信号生成ステップで取得した物理量信号のレベルと動作判定基準レベルとを前記事前設定した信号レベルの許容範囲内となるように修正することを特徴とする請求項５に記載の動作判定基準レベル自動調整方法。
【発明の詳細な説明】
【０００１】
【発明の属する技術分野】
本発明は、予め設定された動作判定基準レベルを基準にして動作するシステムに係り、特に、物理量を検知して動作判定基準レベルを自己調整する物理量検知式動作判定基準レベル自動調整装置およびその自動調整方法に関する。
【０００２】
【従来の技術】
従来の動作判定基準レベルを基準にして動作するシステムの一実施例としては、物理量取得手段としての光センサにより光源からの照度を検出して、光センサで検出した照度に基づき動作するまたは動作しないを切り換えるシステム（以下、光動作システムと省略する）がある。この光動作システムは、予め動作判定基準レベルが一様に設定されており、設置時は周囲の環境や設置条件に関わらず、予め設定された動作判定基準レベルのまま設置されている。
【０００３】
【発明が解決しようとする課題】
光動作システムは、周囲環境や設置環境によって、光動作システムに備えられる物理量取得手段としての光センサ部分が検出対象とは無関係な光源の影響を受ける度合が異なるため、予め動作判定基準レベルを一定の照度に設定しても動作のばらつきや誤差を生じる可能性がある。
【０００４】
特に、道路沿いに設置された個々の照明灯に物理量取得手段としての光センサを取り付ける場合には、個々の照明灯で周囲環境や設置条件は様々であるが、個々の照明灯の周囲環境および設置条件に応じて照度設定を予め個別に調整するのでは大変な労力を要するし、現実的な解決方法ではない。しかも、設置以降に周囲環境が変化することもあり得ることで、周囲環境が変化する都度、再設定をするのは煩雑かつ困難である。
【０００５】
本発明は、上述した事情を考慮してなされたもので、物理量取得手段で検出した物理量検出値に対して周囲環境の影響により生じる物理量検出値の差異を検出して動作判定基準レベルを自動調整する物理量検知式動作判定基準レベル自動調整装置およびその自動調整方法を提供することを目的としている。
【０００６】
また、本発明の他の目的は、周囲環境および設置条件の違いにより生じる動作のばらつきや誤差の影響を軽減した物理量検知式動作判定基準レベル自動調整装置およびその自動調整方法を提供するにある。
【０００７】
【課題を解決するための手段】
本発明に係る物理量検知式動作判定基準レベル自動調整装置は、上述した課題を解決するために、請求項１記載のように、検知対象物および前記検知対象物の周囲の少なくとも一方から物理量を取得する物理量取得手段と、前記物理量取得手段で取得された物理量信号を入力して取得した物理量信号のレベルの最小値が事前設定した信号レベルの許容範囲外にある時は、動作判定基準レベルを自動調整して新たに動作判定基準レベルを修正する動作判定基準レベル修正手段と、前記物理量信号および前記動作判定基準レベル修正手段から出力される動作判定基準レベル信号に基づいて動作を実行するか否かを判定する動作判定処理手段と、前記動作判定処理手段で判定された動作を実行するか否かの判定に基づいて動作を実行するか否かの信号を生成して制御対象に伝送する制御信号生成手段とを備えることを特徴とする。
【０００８】
また、上述した課題を解決するために、本発明に係る物理量検知式動作判定基準レベル自動調整装置は、請求項２記載のように、前記動作判定基準レベル修正手段は、前記検知対象物および前記検知対象物の周囲の少なくとも一方から取得される物理量の一時的な変動に対して、事前設定した信号レベルの偶発的な許容範囲外の状態でも事前設定した前記動作判定基準レベルの自動調整を実行しない保護期間が設定されていることを特徴とする。
【０００９】
さらに、上述した課題を解決するために、本発明に係る物理量検知式動作判定基準レベル自動調整装置は、請求項３記載のように、前記動作判定基準レベル修正手段が、前記物理量取得手段で取得された物理量信号における信号レベルの許容範囲および前記保護期間等の事前設定した事前設定を必要に応じて更新可能に構成したことを特徴とする。
【００１０】
さらにまた、上述した課題を解決するために、本発明に係る物理量検知式動作判定基準レベル自動調整装置は、請求項４記載のように、前記物理量取得手段が、光源からの照度を検出する光センサであり、前記物理量取得手段が設置される制御対象物は、前記物理量取得手段で取得した照度に基づいて動作することを特徴とする。
【００１１】
このような物理量検知式動作判定基準レベル自動調整装置では、周囲環境の違いにより生じる前記物理量取得手段で取得された物理量信号レベルのばらつきや誤差の影響による差異を検知して自動的に調整することができる。
【００１２】
従って、周囲環境の違いによる動作のばらつきや誤差が軽減されて動作条件の均一化がなされ、同一装置間で誤差の少ない動作を実現することが可能となる。
【００１３】
また、物理量検知式動作判定基準レベル自動調整装置に保護期間を設定することで、周囲環境の一時的な変動に対しては調整を行わないようにすることができ、無駄な自動調整作業を防止することが可能となる。
【００１４】
本発明に係る動作判定基準レベル自動調整方法は、上述した課題を解決するために、請求項５記載のように、検知対象物および前記検知対象物の周囲の少なくとも一方から物理量を取得する物理量信号取得ステップと、動作判定基準レベルを自動的に修正して、更新する動作判定基準レベル更新ステップと、前記物理量信号手段で取得した物理量信号および前記動作判定基準レベル修正手段から出力される動作判定基準レベルに基づいて動作を実行するか否かを判定する動作判定ステップと、前記動作判定ステップの動作判定結果に基づいて動作を実行するか否かの信号を生成して制御対象に伝送する制御信号生成ステップとを備えることを特徴とする。
【００１５】
また、上述した課題を解決するために、本発明に係る動作判定基準レベル自動調整方法は、請求項６記載のように、前記動作判定基準レベル更新ステップは、前記物理量信号取得ステップで取得した物理量信号のレベルのうち最小値を検出して前記物理量信号のレベルの最小値が事前設定した信号レベルの許容範囲外であり、前記事前設定した信号レベルの許容範囲外のまま、事前設定した動作判定基準レベルの自動調整を実行しない期間である保護期間を越えた時に動作判定基準レベルを自動調整して前記物理量信号生成ステップで取得した物理量信号のレベルと動作判定基準レベルとを前記事前設定した信号レベルの許容範囲内となるように修正することを特徴とする。
【００１６】
このような動作判定基準レベル自動調整方法では、周囲環境の違いにより生じる前記物理量取得手段で取得された物理量信号レベルのばらつきや誤差の影響による差異を検知して自動的に調整することができる。従って、周囲環境の違いによる動作のばらつきや誤差が軽減されて動作条件の均一化がなされ、同一装置間で誤差の少ない動作を実現することが可能となる。
【００１７】
【発明の実施の形態】
以下、本発明に係る物理量検知式動作判定基準レベル自動調整装置およびその自動調整方法の実施形態を図面を参照して説明する。
【００１８】
図１に本発明に係る物理量検知式動作判定基準レベル自動調整装置およびその自動調整方法の一実施例として適用される光検知式動作判定基準レベル自動調整装置１０を備え、照明灯１１の不点灯を検知する照明灯不点検知システム１２を示す。
【００１９】
図１に示される照明灯不点検知システム１２は、光検知式動作判定基準レベル自動調整装置１０を道路沿いに設置された照明灯１１に備えられるケーシング１３に収納している。
【００２０】
図１に示される照明灯不点検知システム１２が備える光検知式動作判定基準レベル自動調整装置１０は、照明灯１１の点灯／不点灯を照明灯１１からの照度に基づいて光検知式動作判定基準レベル自動調整装置１０で取得し判断して、照明灯１１の点灯／不点灯を検知する。そして、光検知式動作判定基準レベル自動調整装置１０で検知した点灯／不点灯の結果に応じて図外にある検知対象の制御を行う。
【００２１】
図２に図１に示される照明灯不点検知システム１２に備えられる光検知式動作判定基準レベル自動調整装置１０の構成概要ブロック図を示す。
【００２２】
図２を用いて、光検知式動作判定基準レベル自動調整装置１０の一実施例である照明灯不点検知システム１２に備えられる光検知式動作判定基準レベル自動調整装置１０の概要を説明する。
【００２３】
図２によれば、光検知式動作判定基準レベル自動調整装置１０は、物理量として光の照度を取得して物理量信号としての照度信号を生成する物理量取得手段としての光センサ１５と、自動で動作判定基準を修正する動作判定基準レベル修正手段１６と、光センサ１５からの照度信号と動作判定基準レベル修正手段１６からの動作判定基準レベル信号とを比較して動作を切り換える動作判定処理手段１７と、動作判定処理手段１７での動作判定結果に基づいて検知対象としての外部機器１８を制御する制御信号生成手段１９とを備える。
【００２４】
動作判定基準レベル修正手段１６は、プログラムおよびデータベースを備える第１の記録手段２２とデータベースを読み込み、プログラムを実行するプロセッサ２３と光センサ１５および動作判定処理手段１７等の他の構成手段とのインターフェース部（以下、第１のＩ／Ｆ部とする）２２とを備える。
【００２５】
第１の記録手段２２には、動作判定基準レベルを修正する動作判定基準レベル修正プログラム（以下、修正ＰＧとする）２６と、光センサ１５で出力された照度信号としての照度を検知結果として記録する検知結果データベース（以下、検知結果ＤＢとする）２７と、検知結果ＤＢ２７に格納された検知結果（照度）から例えば、ある一定期間内における照度の最小値を抽出し、抽出した照度の最小値を平均して平均最小照度を計算する平均最小照度算出プログラム（以下、平均算出ＰＧとする）２８と、修正ＰＧ２６を実行するの際に必要なパラメータの数値を格納する照度データベース（以下、照度ＤＢとする）２９とが格納される。
【００２６】
動作判定処理手段１７は、点灯（ＯＮの状態）と不点灯（ＯＦＦの状態）のどちらの状態かを判定する動作判定プログラム（以下、動作判定ＰＧとする）３２を格納する第２の記録手段３３と、動作判定ＰＧ３２を実行する演算処理部３４と、光センサ１５からの入力値を一時記憶するメモリ３５と、光センサ１５等の他の構成手段とのインターフェース部（以下、第２のＩ／Ｆ部とする）３６とを備える。
【００２７】
図２に示される光検知式動作判定基準レベル自動調整装置１０は、まず、物理量取得ステップとしての物理量取得を行う。物理量の取得は、物理量取得手段としての光センサ１５で照明灯１１の照度を検知する。そして、検知された照度が照度信号として動作判定基準レベル修正手段１６と動作判定処理手段１７とに入力されることでなされる。
【００２８】
照度信号として光センサ１５で検知された照度が動作判定基準レベル修正手段１６に入力されると、動作判定基準レベル修正手段１６は、動作判定基準レベル修正ステップとしての動作判定基準レベル自動調整処理操作（以下、単に自動調整処理操作とする）を実行する。
【００２９】
自動調整処理操作は、動作判定基準レベル修正手段１６が備える第１のＩ／Ｆ部２４で照度信号をプロセッサ２３が認識して処理可能な形式の信号に変換して、第１の記録手段２２に格納される修正ＰＧ２６をプロセッサ２３が読み込み実行することでなされる。プロセッサ２３が修正ＰＧ２６を実行する際には、照度信号と照度ＤＢ２９とを参照して実行する。そして、プロセッサ２３が修正ＰＧ２６の実行処理操作を完了すると、動作判定基準設定照度Ｌ０が動作判定基準レベル修正手段１６から動作判定処理手段１７に出力される。
【００３０】
一方、照度信号として光センサ１５で検知された照度が動作判定処理手段１７に入力されると、動作判定処理手段１７は、動作判定処理ステップとしての動作判定処理操作を実行する。
【００３１】
動作判定処理操作は、動作判定処理手段１７が備える第２のＩ／Ｆ部３６で照度信号を演算処理部３４が認識して処理可能な形式に変換し、変換後の照度信号をメモリ３５に記憶する。そして、演算処理部３４が動作判定ＰＧ３２を読み込んで実行することでなされる。動作判定ＰＧ３２を実行する際、演算処理部３４は、動作判定基準レベル修正手段１６が備える照度ＤＢ２９から動作判定基準設定照度Ｌ０を読み込んで、読み込んだ動作判定基準設定照度Ｌ０と入力された照度信号、すなわち、光センサ１５で検知された照度とを比較する。比較した結果に応じて、照明灯１１の検知信号、すなわち、点灯（ＯＮの状態）または不点灯（ＯＦＦの状態）情報を制御信号生成手段１９へ出力する。
【００３２】
動作判定処理手段１７から出力された照明灯１１の検知信号は、制御信号生成手段１９に入力される。制御信号生成手段１９は、入力される検知信号に応じて点灯／不点灯の情報に基づき制御信号を生成して外部機器１８に発信する。そして、発信された点灯／不点灯の情報に基づく制御信号は、図２に破線で示される検知対象としての外部機器１８に入力され、点灯／不点灯情報に応じた動作を実行する。
【００３３】
尚、図２に示される光検知式動作判定基準レベル自動調整装置１０において、光センサ１５で行う照度の検知は、間欠的または連続的に行われ、検知のタイミングおよび周期は設置前に任意に設定される。
【００３４】
図３に光検知式動作判定基準レベル自動調整装置１０が備える動作判定基準レベル修正手段１６で動作判定基準レベル修正ステップとして実行される自動調整処理操作を、図４に光検知式動作判定基準レベル自動調整装置１０が備える動作判定処理手段１７で動作判定処理ステップとして実行される動作判定処理操作を示したフローチャートを示す。
【００３５】
図３に示される動作判定基準レベル修正手段１６で実行される自動調整処理操作（ステップＳ１〜ステップＳ９）は、例えば、１日に１回等、ある一定周期で行われる。
【００３６】
図３によれば、動作判定基準レベル修正手段１６で実行される自動調整処理操作は、まず、ステップＳ１で、物理量取得ステップとして実行される光センサ１５での照度の取得により取得された照度データから最小照度を検知して最小照度の平均値（以下、平均最小照度とする）Ｌｍｉｎを算出して読み込む。
【００３７】
平均最小照度Ｌｍｉｎの算出は、プロセッサ２３が検知結果ＤＢ２７および平均算出ＰＧ２８を読み込んで、読み込んだ検知結果ＤＢ２７を参照して平均算出ＰＧ２８を実行することでなされる。光センサ１５で検知した照度は、間欠的または連続的に検知結果ＤＢ２７に記録されているので、検知結果ＤＢ２７を参照することで光センサ１５で検知した最小照度を知ることができる。そして、光センサ１５で検知した最小照度からプロセッサ２３が平均算出を行い、平均最小照度Ｌｍｉｎが算出される。プロセッサ２３は、最小照度の平均算出をした後、算出した平均最小照度Ｌｍｉｎを照度ＤＢ２９に書き込んで、平均最小照度Ｌｍｉｎを最新の平均最小照度に更新して格納する。
【００３８】
次に、ステップＳ２で、プロセッサ２３が光センサ１５で検知した最小照度（以下、検知最小照度とする）Ｌ１を検出する。この検知最小照度Ｌ１は、例えば、１日等の一定周期内で検出した照度のうち最小の値である。プロセッサ２３は、検知最小照度Ｌ１の検出が終わると、検知最小照度Ｌ１を最新の検知最小照度Ｌ１に更新して格納する。
【００３９】
次に、ステップＳ３で、プロセッサ２３は、ステップＳ１で更新した平均最小照度Ｌｍｉｎと、ステップＳ２で検出した検知最小照度Ｌ１とを比較して、Ｌ１が初期設定として、例えば、Ｌｍｉｎに対して±１０％以内、あるいは±１００ｌｘ（ルクス）以内等の設定した許容範囲内にある（以下、Ｌ１がＬｍｉｎに対して設定した許容範囲内にある状態をＬ１≒Ｌｍｉｎとする）か否かを判定する。
【００４０】
Ｌ１≒Ｌｍｉｎ、すなわち、Ｌ１が設定したＬｍｉｎに対して許容範囲内にある場合（ステップＳ３でＹＥＳの場合）は、ステップＳ４に進み、ステップＳ４の処理操作で、Ｌｍｉｎをそのまま現在のＬｍｉｎとする。すなわち、Ｌｍｉｎ＝Ｌｍｉｎとする。
【００４１】
また、ステップＳ３の処理操作において、Ｌ１≒Ｌｍｉｎでない場合、すなわち、検知最小照度Ｌ１が設定した平均最小照度Ｌｍｉｎに対して許容範囲外にある場合（ステップＳ３でＮＯの場合）は、ステップＳ７に進み、ステップＳ７の処理操作を行う。ステップＳ７で、プロセッサ２３は、Ｌ１が設定したＬｍｉｎに対して許容範囲外にある場合（ステップＳ３でＮＯの場合）が、例えば、３日等の事前に設定した一定期間（以下、保護期間とする）を経過しても継続しているか否かを判定する。
【００４２】
Ｌ１が設定したＬｍｉｎに対して許容範囲外にある（ステップＳ３でＮＯの場合）状態が、例えば、保護期間を経過しても継続している場合（ステップＳ７でＹＥＳの場合）は、ステップＳ８に進み、ステップＳ８で最小検知照度を新たにＬ１の値とする。すなわちＬｍｉｎを現在のＬ１と置換する。すなわち、Ｌｍｉｎ＝Ｌ１とする。そして、ステップＳ５に進み、ステップＳ５以降の処理操作を実行する。一方、Ｌ１が設定したＬｍｉｎに対する許容範囲外にある状態（ステップＳ３でＮＯの場合）が、保護期間が経過していない場合（ステップＳ７でＮＯの場合）は、ステップＳ４に進み、Ｌｍｉｎの値をそのまま現在のＬｍｉｎとする。
【００４３】
ステップＳ５において、平均最小照度Ｌｍｉｎが、動作判定基準照度Ｌ０に一定の予め設定された数値Ｃを加えた値であるか否かを判定する。ただし、たとえば±１０％等の設定した許容範囲内にある（これをＬｍｉｎ≒Ｌ０＋Ｃと記す）場合を含むものとする。
【００４４】
Ｌｍｉｎ≒Ｌ０＋Ｃ、すなわち、Ｌｍｉｎが設定した動作判定基準照度Ｌ０＋Ｃに対する許容範囲内にある場合（ステップＳ５でＹＥＳの場合）は、ステップＳ６に進み、動作判定基準照度Ｌ０をそのまま現在の動作判定基準照度Ｌ０のままとする。
【００４５】
ＬｍｉｎとＬ０＋Ｃの値を比較して、両者の値が許容範囲内の誤差範囲で等しい（Ｌｍｉｎ≒Ｌ０＋Ｃ）状態ではない場合、すなわちＬｍｉｎ＞＞０の場合（ステップＳ５でＮＯの場合）は、動作判定基準照度Ｌ０の値を新たにＬｍｉｎ−Ｃの値に置換する。
【００４６】
一方、図４に示される動作判定処理手段１７の動作判定処理操作（ステップＳ１１〜ステップＳ１７）は、動作判定処理手段１７が備える演算処理部３４が、第２の記録手段３３に格納される動作判定ＰＧ３２を読み込んで実行することでなされる。
【００４７】
図４によれば、動作判定処理手段１７で実行される動作判定処理操作は、まず、ステップＳ１１で、動作判定処理手段１７が備える演算処理部３４が、物理量取得手段としての光センサ１５から出力された照度信号、すなわち、光センサ１５が出力した照度（以下、光センサ出力照度とする）Ｌｓを読み込む。光センサ出力照度Ｌｓを読み込む際にはメモリ３５に光センサ出力照度Ｌｓが記憶される。そして、ステップＳ１２で、演算処理部３４は、動作判定基準レベル修正手段１６が備える照度ＤＢ２９から動作判定基準設定照度Ｌ０を読み込む。動作判定基準設定照度Ｌ０を読み込む際にはメモリ３５に光センサ出力照度Ｌｓが記憶される。
【００４８】
次に、ステップＳ１３で、演算処理部３４がメモリ３５を読み込んで、ステップＳ１１で読み込んだ光センサ出力照度ＬｓとステップＳ１２で読み込んだ動作判定基準設定照度Ｌ０との比較を行う。光センサ出力照度Ｌｓが動作判定基準設定照度Ｌ０より大きいか等しい場合、すなわち、Ｌｓ≧Ｌ０の場合（ステップＳ１３でＹＥＳの場合）は、ステップＳ１４に進み、ステップＳ１４の処理操作として、動作判定処理手段１７が備える演算処理部３４が照明灯１１の点灯（ＯＮの状態）を検知する。
【００４９】
次に、ステップＳ１５で演算処理部３４は、照明灯１１の点灯（ＯＮの状態）検知信号を出力する。ステップＳ１５で出力された信号は、制御信号生成手段１９に入力される。制御信号生成手段１９は、照明灯１１の点灯（ＯＮの状態）検知信号に応じた制御信号を生成して、生成した制御信号を図２に示される検知対象としての外部機器１８へ出力する。ステップＳ１５の処理操作が完了すると図４に示される動作判定処理操作は完了する。
【００５０】
一方、ステップＳ１３の処理操作において、光センサ出力照度Ｌｓが動作判定基準設定照度Ｌ０より小さい場合、すなわち、Ｌｓ＜Ｌ０の場合（ステップＳ１３でＮＯの場合）は、ステップＳ１６に進み、ステップＳ１６の処理操作として、動作判定処理手段１７が備える演算処理部３４が照明灯１１の不点灯（ＯＦＦの状態）を検知する。
【００５１】
次に、ステップＳ１６で演算処理部３４は、照明灯１１の不点灯（ＯＦＦの状態）検知信号を出力する。出力された照明灯１１の不点灯検知信号は、制御信号生成手段１９に入力される。そして、ステップＳ１７で、制御信号生成手段１９は、照明灯１１の不点灯（ＯＦＦの状態）検知信号に応じた制御信号を生成して、生成した制御信号を図２に示される外部機器１８へ出力する。ステップＳ１７の処理操作が完了すると図４に示される動作判定処理操作は完了する。
【００５２】
本発明に係る物理量検知式動作判定基準レベル自動調整装置およびその自動調整方法の一実施例である光検知式動作判定基準レベル自動調整装置１０および動作判定基準レベル自動調整装方法によれば、周囲環境の影響により生じる光センサ１５の物理量検出値（照度検出値）の差異を検出して、動作判定基準レベルを自動的に修正する動作判定基準レベルの自動調整が可能となる。従って、個々の照明灯１１の周囲環境および設置条件に応じて照度設定を予め個別に調整したり、周囲環境が変化する都度、再設定することなく、検知対象としての外部機器１８の動作のばらつきや誤差を抑えることができる。
【００５３】
また、周囲環境および設置条件の違いにより生じる検知対象としての外部機器１８の動作のばらつきや誤差の影響を軽減することが可能となるので、周囲環境および設置条件の違いによる動作への影響を軽減できる検知式動作判定基準レベル自動調整装置１０および動作判定基準レベル自動調整装方法を提供できる。
【００５４】
尚、光検知式動作判定基準レベル自動調整装置１０において、ＯＮ／ＯＦＦの状態を示す信号は、制御信号生成手段１９から発信されて制御対象である外部機器１８に入力されているが、制御信号生成手段１９の代わりに制御対象である外部機器１８と電気的に接続されＯＮ／ＯＦＦ切換手段を設けてＯＮとＯＦＦとを切り換えることで制御対象を制御するように構成しても良い。
【００５５】
また、光検知式動作判定基準レベル自動調整装置１０における制御対象は、光検知式動作判定基準レベル自動調整装置１０の装置外にある場合、すなわち、外部機器１８を制御対象とした場合を例示しているが、必ずしも光検知式動作判定基準レベル自動調整装置１０の制御対象が外部に存在する場合に限らない。光検知式動作判定基準レベル自動調整装置１０の内部に制御対象が存在していても良い。
【００５６】
さらに、光検知式動作判定基準レベル自動調整装置１０は、動作判定基準レベル修正手段１６および動作判定処理手段１７が相互に情報のやり取りを可能に構成しても良い。もしくは、動作判定基準レベル修正手段１６および動作判定処理手段１７の一方が他方の処理操作を兼ねるように構成しても良い。すなわち、動作判定基準レベル修正手段１６が備える第１の記録手段２２に動作判定処理手段１７が備える動作判定ＰＧ３２を格納させて、動作判定基準レベル修正手段１６が備えるプロセッサ２３で動作判定ＰＧ３２を実行可能に構成しても良いし、逆に、動作判定処理手段１７が備える第２の記録手段３３に修正ＰＧ２６、検知結果ＤＢ２７、平均算出ＰＧ２８および照度ＤＢ２９を格納させて、動作判定処理手段１７が備える演算処理部３４で修正ＰＧ２６、検知結果ＤＢ２７、平均算出ＰＧ２８および照度ＤＢ２９を実行可能に構成する事も可能である。
【００５７】
さらにまた、本発明に係る物理量検知式動作判定基準レベル自動調整装置およびその自動調整方法の実施の形態の説明に照明灯不点検知システム１２を例示したが、その他の光動作システムでも同様に周囲環境に応じて動作判定基準レベルを自動調整することが可能となる。例えば、看板照明やネオン看板の不点灯検知等にも適用は可能である。
【００５８】
一方、本発明に係る物理量検知式動作判定基準レベル自動調整装置およびその自動調整方法の実施の形態の説明に照明灯不点検知システム１２を例示したが、その他のシステムでも同様に周囲環境に応じて動作判定基準レベルを自動調整することが可能となる。例えば、光以外の物理量を適用するシステムの例として、周囲の騒音量を検知して、その騒音量に応じて放送する音量を自己調整する街頭放送システム等にも適用が可能である。
【００５９】
光以外の物理量を適用するシステムの例においては、物理量取得手段は、構築するシステムに応じて光センサ１５や音量センサに限らず、例えば、温度、圧力、流量等の他の物理量を取得する各種の物理量取得手段から適切なものを用いてシステムを構築すれば良い。換言すれば、光センサ１５および照度を、例えば、音量センサおよび音量等、構築するシステムに応じた物理量取得手段と取得する物理量に読み替えてやれば、例示した照明灯不点検知システム１２と同様な物理量検知式動作判定基準レベル自動調整装置およびその自動調整方法を適用したシステムが構築できる。また、物理量検知式動作判定基準レベル自動調整装置に適用される物理量取得手段は、構築するシステムに応じて物理量を取得する対象を検知対象物および検知対象物の周囲のうち、少なくとも一方から任意に選択することが可能である。
【００６０】
【発明の効果】
本発明に係る物理量検知式動作判定基準レベル自動調整装置およびその自動調整方法によれば、物理量取得手段で取得して検出した物理量検出値に対して周囲環境の影響により生じる物理量検出値の差異を検出して動作判定基準レベルを修正可能な動作判定基準レベル修正手段を備えるので、設置場所毎の周囲環境の相違や設置後の周囲環境の変化に対しても動作判定基準レベルが自動で調整される物理量検知式動作判定基準レベル自動調整装置および方法を提供することが出来る。
【００６１】
また、周囲環境および設置条件の違いにより生じる動作のばらつきや誤差の影響を軽減した物理量検知式動作判定基準レベル自動調整装置およびその自動調整方法を提供することができる。
【図面の簡単な説明】
【図１】本発明に係る物理量検知式動作判定基準レベル自動調整装置およびその自動調整方法の一実施例として適用した光検知式システムを備える照明灯不点検知システムを示す概要図。
【図２】本発明に係る物理量検知式動作判定基準レベル自動調整装置およびその自動調整方法の一実施例として適用した光検知式動作判定基準レベル自動調整装置の構成概要ブロック図。
【図３】本発明に係る物理量検知式動作判定基準レベル自動調整装置およびその自動調整方法の一実施例として適用した光検知式動作判定基準レベル自動調整装置が行う動作判定基準レベル自動調整処理操作を示すフローチャート。
【図４】本発明に係る物理量検知式動作判定基準レベル自動調整装置およびその自動調整方法の一実施例として適用した光検知式動作判定基準レベル自動調整装置が行う動作判定処理操作を示すフローチャート。
【符号の説明】
１０　光検知式動作判定基準レベル自動調整装置（物理量検知式動作判定基準レベル自動調整装置）
１１　照明灯（検知対象）
１２　照明灯不点検知システム
１３　ケーシング
１５　光センサ（物理量取得手段）
１６　動作判定基準レベル修正手段
１７　動作判定処理手段
１８　外部機器（制御対象）
１９　制御信号生成手段
２２　第１の記録手段
２３　プロセッサ
２４　第１のＩ／Ｆ部
２６　修正ＰＧ
２７　検知結果ＤＢ
２８　平均算出ＰＧ
２９　照明ＤＢ
３２　動作判定ＰＧ
３３　第２記録手段
３４　演算処理部
３５　メモリ
３６　第２のＩ／Ｆ部
【図１】
2004020215.tif 000003
【図２】
2004020215.tif 000004
【図３】
2004020215.tif 000005
【図４】
2004020215.tif 000006